(57)【要約】【課題】コンテンツに関連する評価対象についての信憑性が高い評価を提示することができる「評価提示システムとこれに用いるサーバならびに端末装置および評価提示方法」を提供すること。【解決手段】サーバ７からコンテンツを取得した端末装置８は、この端末装置８において当該コンテンツが実際に利用されたことを示す所定の情報を所定のタイミングでサーバ７に送信し、サーバ７は、当該端末装置８から送信された所定の情報に基づいて、当該所定の情報に対応するコンテンツについての実際の利用度合いを考慮した第２の評価値を算出し、この算出された第２の評価値を提示すること。【選択図】図２
2014119861.tif 000002
【特許請求の範囲】
【請求項１】
所定のコンテンツを利用可能とされた複数の端末装置と、
前記コンテンツを保有するとともに、前記端末装置に対して、当該端末装置からの取得要求に応じた前記コンテンツの提供、当該端末装置からの前記コンテンツについての評価の投稿の受け付け、および、当該評価に基づいて算出された第１の評価値の提示が可能とされたサーバと
を備えた評価提示システムであって、
前記サーバから前記コンテンツを取得した前記端末装置は、
この端末装置において当該コンテンツが実際に利用されたことを示す所定の情報を所定のタイミングで前記サーバに送信し、
前記サーバは、
当該端末装置から送信された前記所定の情報に基づいて、当該所定の情報に対応する前記コンテンツについての実際の利用度合いを考慮した第２の評価値を算出し、この算出された第２の評価値を提示すること
を特徴とする評価提示システム。
【請求項２】
前記コンテンツを取得した端末装置は、
この端末装置における当該コンテンツの実際の利用度合いを示す所定の計測対象を計測して、この計測によって得られた計測値を前記所定の情報として送信すること
を特徴とする請求項１に記載の評価提示システム。
【請求項３】
前記計測対象は、
前記コンテンツの利用時間および／または利用回数を含むこと
を特徴とする請求項２に記載の評価提示システム。
【請求項４】
前記サーバは、
前記端末装置からの前記コンテンツの投稿を受け付けること
を特徴とする請求項１に記載の評価提示システム。
【請求項５】
前記端末装置は、
車載機と、この車載機に接続された携帯端末とからなること
を特徴とする請求項１乃至請求項４のいずれか１項に記載の評価提示システム。
【請求項６】
前記コンテンツは、前記車載機のオーディオ機能に利用されるサウンドセッティング情報を含むこと
を特徴とする請求項５に記載の評価提示システム。
【請求項７】
前記端末装置は、
携帯端末単体からなること
を特徴とする請求項１乃至請求項４のいずれか１項に記載の評価提示システム。
【請求項８】
前記コンテンツは、前記端末装置において再生されるオーディオコンテンツおよび／またはビデオコンテンツを含むこと
を特徴とする請求項７に記載の評価提示システム。
【請求項９】
所定の利用先において利用可能とされた所定のコンテンツを取得可能とされた複数の端末装置と、
前記コンテンツを保有するとともに、前記端末装置に対して、当該端末装置からの取得要求に応じた前記コンテンツの提供、当該端末装置からの前記利用先についての評価の投稿の受け付け、および、当該評価に基づいて算出された第１の評価値の提示が可能とされたサーバと
を備えた評価提示システムであって、
システム本体は、
前記端末装置によって前記サーバから取得された前記コンテンツが前記利用先において実際に利用されたことを示す所定の情報を所定のタイミングで前記サーバに送信し、
前記サーバは、
前記システム本体から送信された前記所定の情報に基づいて、当該所定の情報に対応する前記利用先についての前記コンテンツの実際の利用度合いを考慮した第２の評価値を算出し、この算出された第２の評価値を提示すること
を特徴とする評価提示システム。
【請求項１０】
前記所定の情報の送信は、前記システム本体に含まれる前記利用先の情報処理装置が行うこと
を特徴とする請求項９に記載の評価提示システム。
【請求項１１】
前記情報処理装置は、
前記コンテンツの前記利用先における実際の利用度合いを示す所定の計測対象を計測して、この計測によって得られた計測値を前記所定の情報として送信すること
を特徴とする請求項１０に記載の評価提示システム。
【請求項１２】
前記計測対象は、
前記コンテンツを利用した前記利用先の利用人数および／または利用時間を含むこと
を特徴とする請求項１１に記載の評価提示システム。
【請求項１３】
前記端末装置は、携帯端末単体からなること
を特徴とする請求項９乃至請求項１２のいずれか１項に記載の評価提示システム。
【請求項１４】
前記コンテンツは、電子クーポンを含み、
前記利用先は、前記電子クーポンを利用可能なサービス提供者を含むこと
を特徴とする請求項１３に記載の評価提示システム。
【請求項１５】
前記計測値は、更新可能とされていること
を特徴とする請求項２または請求項１１に記載の評価提示システム。
【請求項１６】
前記サーバは、前記第２の評価値を、前記第１の評価値と同一画面上において閲覧可能な状態で提示すること
を特徴とする請求項１または請求項９に記載の評価提示システム。
【請求項１７】
複数の端末装置において利用可能とされた所定のコンテンツを保有するとともに、前記端末装置に対して、当該端末装置からの取得要求に応じた前記コンテンツの提供、当該端末装置からの前記コンテンツについての評価の投稿の受け付け、および、当該評価に基づいて算出された第１の評価値の提示が可能とされたサーバであって、
前記コンテンツを取得した前記端末装置からこの装置において当該コンテンツが実際に利用されたことを示す所定の情報が送信された場合に、当該所定の情報に基づいて、この情報に対応する前記コンテンツについての実際の利用度合いを考慮した第２の評価値を算出し、この算出された第２の評価値を提示すること
を特徴とするサーバ。
【請求項１８】
所定の利用先において利用可能とされた所定のコンテンツを保有するとともに、前記端末装置に対して、当該端末装置からの取得要求に応じた前記コンテンツの提供、当該端末装置からの前記利用先についての評価の投稿の受け付け、および、当該評価に基づいて算出された第１の評価値の提示が可能とされたサーバであって、
前記利用先の情報処理装置から前記コンテンツが当該利用先において実際に利用されたことを示す所定の情報が送信された場合に、当該所定の情報に基づいて、当該利用先についての当該コンテンツの実際の利用度合いを考慮した第２の評価値を算出し、この算出された第２の評価値を提示すること
を特徴とするサーバ。
【請求項１９】
所定のコンテンツを利用可能とされるとともに、前記コンテンツを保有するサーバとの間で、前記サーバからの前記コンテンツの取得、前記サーバへの前記コンテンツについての評価の投稿、および、前記サーバからの前記コンテンツについての投稿された評価に基づいて算出された第１の評価値の提示が可能とされた端末装置であって、
自身の端末装置が前記コンテンツを取得した場合には、当該コンテンツが実際に利用されたことを示す所定の情報を前記サーバに送信し、
他の端末装置がこの装置に対応する前記所定の情報を前記サーバに送信した場合には、前記サーバが当該所定の情報に基づいて算出した当該所定の情報に対応する前記コンテンツについての実際の利用度合いを考慮した第２の評価値を、前記サーバから提示されることが可能とされていること
を特徴とする端末装置。
【請求項２０】
所定の利用先において利用可能とされた所定のコンテンツを保有するサーバとの間で、前記サーバからの前記コンテンツの取得、前記サーバへの前記利用先についての評価の投稿、および、前記サーバからの前記利用先についての投稿された評価に基づいて算出された第１の評価値の提示が可能とされた端末装置であって、
前記利用先の情報処理装置が、他の端末装置によって取得された前記コンテンツが当該利用先において実際に利用されたことを示す所定の情報を前記サーバに送信した場合には、前記サーバが当該所定の情報に基づいて算出した当該利用先についての当該コンテンツの実際の利用度合いを考慮した第２の評価値を、前記サーバから提示されることが可能とされていること
を特徴とする端末装置。
【請求項２１】
所定のコンテンツを保有するサーバから、当該コンテンツを前記サーバから取得かつ利用可能とされた任意の１つの端末装置に対して、当該コンテンツについての評価を提示する評価提示方法であって、
前記サーバによって、他の端末装置から投稿された前記コンテンツについての評価に基づいて第１の評価値を算出し、この算出された第１の評価値を前記１つの端末装置に提示する第１のステップと、
他の端末装置によって、前記サーバから取得された前記コンテンツが当該他の端末装置において実際に利用されたことを示す所定の情報を、所定のタイミングで前記サーバに送信する第２のステップと、
この第２のステップにおいて送信された前記所定の情報に基づいて、前記サーバによって、当該所定の情報に対応する前記コンテンツについての実際の利用度合いを考慮した第２の評価値を算出し、この算出された第２の評価値を前記１つの端末装置に提示する第３のステップと
を含むことを特徴とする評価提示方法。
【請求項２２】
前記第２のステップは、
前記他の端末装置における前記コンテンツの実際の利用度合いを示す所定の計測対象を計測して、この計測によって得られた計測値を前記所定の情報として送信するステップであること
を特徴とする請求項２１に記載の評価提示方法。
【請求項２３】
前記第２のステップは、
前記計測対象として、前記コンテンツの利用時間および／または利用回数を計測するステップであること
を特徴とする請求項２２に記載の評価提示方法。
【請求項２４】
所定の利用先において利用可能とされた所定のコンテンツを保有するサーバから、当該コンテンツを前記サーバから取得かつ利用可能とされた任意の１つの端末装置に対して、当該利用先についての評価を提示する評価提示方法であって、
前記サーバによって、他の端末装置から投稿された前記利用先についての評価に基づいて第１の評価値を算出し、この算出された第１の評価値を前記１つの端末装置に提示する第１’のステップと、
前記利用先の情報処理装置によって、他の端末装置が前記サーバから取得した前記コンテンツが当該利用先において実際に利用されたことを示す所定の情報を、所定のタイミングで前記サーバに送信する第２’のステップと、
この第２’のステップにおいて送信された前記所定の情報に基づいて、前記サーバによって、当該所定の情報に対応する前記利用先についての前記コンテンツの実際の利用度合いを考慮した第２の評価値を算出し、この算出された前記第２の評価値を前記１つの端末装置に提示する第３’のステップと
を含むことを特徴とする評価提示方法。
【請求項２５】
前記第２’のステップは、
前記コンテンツの前記利用先における実際の利用度合いを示す所定の計測対象を計測して、この計測によって得られた計測値を前記所定の情報として送信するステップであること
を特徴とする請求項２４に記載の評価提示方法。
【請求項２６】
前記第２’のステップは、
前記計測対象として、前記コンテンツを利用した前記利用先の利用人数および／または利用時間を計測するステップであること
を特徴とする請求項２５に記載の評価提示方法。
【発明の詳細な説明】
【技術分野】
【０００１】
本発明は、評価提示システムとこれに用いるサーバならびに端末装置および評価提示方法に係り、特に、コンテンツに関連する評価の提示に好適な評価提示システムとこれに用いるサーバならびに端末装置および評価提示方法に関する。
【背景技術】
【０００２】
従来から、各種のコンテンツの提供サーバにおいては、ユーザ端末にコンテンツを提供するだけでなく、例えば、Facebook（登録商標）における「いいね（Like）」のように、コンテンツに対する評価の投稿を受け付けるようになっていた。そして、このようにして投稿された評価は、サーバによってコンテンツの閲覧画面上に合計値として反映されていた（例えば、特許文献１参照）。また、このような評価の投稿は、ユーザ端末からサーバに投稿されたコンテンツに対しても可能とされていた。
【０００３】
図１１は、このような場合の具体例を示したものである。すなわち、図１１においては、サーバ１に対して複数のユーザから車載機のサウンドセッティング情報（コンテンツの一例）がそれぞれ名前を付けて投稿され、これら各サウンドセッティング情報が他のユーザのスマートフォン２上に閲覧画面として表示されている。また、図１１においては、スマートフォン２が、ＵＳＢ等の通信手段３を介して車載機４に接続されており、この車載機４は、閲覧中のサウンドセッティング情報がダウンロードされれば、当該サウンドセッティング情報に基づいたサウンドセッティングをＤＳＰ(Digital Signal Processor)等によって行うことが可能とされている。このとき、図１１に示すように、閲覧画面上には、サウンドセッティング情報の名前（「○○○Tune」、「△△△Tune」）とともに、各情報に対する評価「Like」の合計値（カウント数）が掲載されている。
【０００４】
このような評価は、該当するコンテンツをサーバ１からダウンロードすべきか否かを決定する際の判断材料となり得る。
【先行技術文献】
【特許文献】
【０００５】
【特許文献１】特開２０１２−１４１９６７号公報（特に、段落０１１１）
【特許文献２】特開２００８−３３３９９号公報
【発明の概要】
【発明が解決しようとする課題】
【０００６】
しかるに、前述した評価は、必ずしも該当するコンテンツを実際に利用した上での評価であるとは限らなかったので、評価が良好であるためコンテンツをダウンロードして利用してみたところ、満足のいく内容ではない場合も珍しくなかった。
【０００７】
そこで、本発明は、このような点に鑑みなされたものであり、コンテンツに関連する評価対象に対する信憑性が高い評価を提示することができ、ひいては、ユーザには、コンテンツを利用することによる十分な満足感を与えることができ、コンテンツの提供者には、ユーザの動向・嗜好を正確に把握して後の事業に活かす機会を与えることができる評価提示システムとこれに用いるサーバならびに端末装置および評価提示方法を提供することを目的とするものである。
【課題を解決するための手段】
【０００８】
前述した目的を達成するため、本発明に係る第１の態様の評価提示システムは、所定のコンテンツを利用可能とされた複数の端末装置と、前記コンテンツを保有するとともに、前記端末装置に対して、当該端末装置からの取得要求に応じた前記コンテンツの提供、当該端末装置からの前記コンテンツについての評価の投稿の受け付け、および、当該評価に基づいて算出された第１の評価値の提示が可能とされたサーバとを備えた評価提示システムであって、前記サーバから前記コンテンツを取得した前記端末装置は、この端末装置において当該コンテンツが実際に利用されたことを示す所定の情報を所定のタイミングで前記サーバに送信し、前記サーバは、当該端末装置から送信された前記所定の情報に基づいて、当該所定の情報に対応する前記コンテンツについての実際の利用度合いを考慮した第２の評価値を算出し、この算出された第２の評価値を提示することを特徴としている。
【０００９】
また、本発明に係る第１の態様のサーバは、複数の端末装置において利用可能とされた所定のコンテンツを保有するとともに、前記端末装置に対して、当該端末装置からの取得要求に応じた前記コンテンツの提供、当該端末装置からの前記コンテンツについての評価の投稿の受け付け、および、当該評価に基づいて算出された第１の評価値の提示が可能とされたサーバであって、前記コンテンツを取得した前記端末装置からこの装置において当該コンテンツが実際に利用されたことを示す所定の情報が送信された場合に、当該所定の情報に基づいて、この情報に対応する前記コンテンツについての実際の利用度合いを考慮した第２の評価値を算出し、この算出された第２の評価値を提示することを特徴としている。
【００１０】
さらに、本発明に係る第１の態様の端末装置は、所定のコンテンツを利用可能とされるとともに、前記コンテンツを保有するサーバとの間で、前記サーバからの前記コンテンツの取得、前記サーバへの前記コンテンツについての評価の投稿、および、前記サーバからの前記コンテンツについての投稿された評価に基づいて算出された第１の評価値の提示が可能とされた端末装置であって、自身の端末装置が前記コンテンツを取得した場合には、当該コンテンツが実際に利用されたことを示す所定の情報を前記サーバに送信し、他の端末装置がこの装置に対応する前記所定の情報を前記サーバに送信した場合には、前記サーバが当該所定の情報に基づいて算出した当該所定の情報に対応する前記コンテンツについての実際の利用度合いを考慮した第２の評価値を、前記サーバから提示されることが可能とされていることを特徴としている。
【００１１】
さらにまた、本発明に係る第１の態様の評価提示方法は、所定のコンテンツを保有するサーバから、当該コンテンツを前記サーバから取得かつ利用可能とされた任意の１つの端末装置に対して、当該コンテンツについての評価を提示する評価提示方法であって、前記サーバによって、他の端末装置から投稿された前記コンテンツについての評価に基づいて第１の評価値を算出し、この算出された第１の評価値を前記１つの端末装置に提示する第１のステップと、他の端末装置によって、前記サーバから取得された前記コンテンツが当該他の端末装置において実際に利用されたことを示す所定の情報を、所定のタイミングで前記サーバに送信する第２のステップと、この第２のステップにおいて送信された前記所定の情報に基づいて、前記サーバによって、当該所定の情報に対応する前記コンテンツについての実際の利用度合いを考慮した第２の評価値を算出し、この算出された第２の評価値を前記１つの端末装置に提示する第３のステップとを含むことを特徴としている。
【００１２】
そして、このような第１の態様の本発明によれば、コンテンツについての投稿された評価に基づいた第１の評価値だけではなく、コンテンツについての実際の利用実績に基づいた第２の評価値も提示することができるので、コンテンツについての評価の信憑性を高めることができる。
【００１３】
また、第１の態様の評価提示システムにおいて、前記コンテンツを取得した端末装置は、この端末装置における当該コンテンツの実際の利用度合いを示す所定の計測対象を計測して、この計測によって得られた計測値を前記所定の情報として送信してもよい。同様に、第１の態様の評価提示方法において、前記第２のステップは、前記他の端末装置における前記コンテンツの実際の利用度合いを示す所定の計測対象を計測して、この計測によって得られた計測値を前記所定の情報として送信するステップであってもよい。
【００１４】
そして、このような第１の態様の本発明によれば、端末装置において、コンテンツが利用されたことを示すだけでなく、コンテンツの利用度合いをも反映した情報をサーバに送信することができるので、サーバにおいて、利用実績をより忠実に反映した評価を提示することができる。
【００１５】
さらに、第１の態様の評価提示システムにおいて、前記計測対象は、前記コンテンツの利用時間および／または利用回数を含んでもよい。同様に、第１の態様の評価提示方法において、前記第２のステップは、前記計測対象として、前記コンテンツの利用時間および／または利用回数を計測するステップであってもよい。
【００１６】
そして、このような第１の態様の本発明によれば、端末装置において、コンテンツの利用度合いが好適に反映された有意義な情報をサーバに送信することができるので、サーバにおいて、より信憑性が高い評価を提示することができる。
【００１７】
さらにまた、第１の態様の評価提示システムにおいて、前記サーバは、前記端末装置からの前記コンテンツの投稿を受け付けてもよい。
【００１８】
そして、このような構成によれば、投稿されたコンテンツについても、利用実績に基づいた信憑性が高い評価を提示することができる。
【００１９】
また、第１の態様の評価提示システムにおいて、前記端末装置は、車載機と、この車載機に接続された携帯端末とからなってもよい。
【００２０】
そして、このような構成によれば、車載機において、信憑性が高い評価に基づいた満足し得る内容のコンテンツを利用することができる。
【００２１】
さらに、第１の態様の評価提示システムにおいて、前記コンテンツは、前記車載機のオーディオ機能に利用されるサウンドセッティング情報を含んでもよい。
【００２２】
そして、このような構成によれば、車載機において、信憑性が高い評価がなされたサウンドセッティング情報を利用することによって、ユーザの期待に応えた良好なサウンドを提供することができる。
【００２３】
さらにまた、第１の態様の評価提示システムにおいて、前記端末装置は、携帯端末単体からなるものであってもよい。
【００２４】
そして、このような構成によれば、携帯端末において、信憑性が高い評価に基づいたユーザが満足し得る内容のコンテンツを利用することができる。
【００２５】
また、第１の態様の評価提示システムにおいて、前記コンテンツは、前記端末装置において再生されるオーディオコンテンツおよび／またはビデオコンテンツを含んでもよい。
【００２６】
そして、このような構成によれば、携帯端末において、信憑性が高い評価がなされたオーディオコンテンツおよび／またはビデオコンテンツを再生することができる。
【００２７】
さらに、本発明に係る第２の態様の評価提示システムは、所定の利用先において利用可能とされた所定のコンテンツを取得可能とされた複数の端末装置と、前記コンテンツを保有するとともに、前記端末装置に対して、当該端末装置からの取得要求に応じた前記コンテンツの提供、当該端末装置からの前記利用先についての評価の投稿の受け付け、および、当該評価に基づいて算出された第１の評価値の提示が可能とされたサーバとを備えた評価提示システムであって、システム本体は、前記端末装置によって前記サーバから取得された前記コンテンツが前記利用先において実際に利用されたことを示す所定の情報を所定のタイミングで前記サーバに送信し、前記サーバは、前記システム本体から送信された前記所定の情報に基づいて、当該所定の情報に対応する前記利用先についての前記コンテンツの実際の利用度合いを考慮した第２の評価値を算出し、この算出された第２の評価値を提示することを特徴としている。
【００２８】
さらにまた、本発明に係る第２の態様のサーバは、所定の利用先において利用可能とされた所定のコンテンツを保有するとともに、前記端末装置に対して、当該端末装置からの取得要求に応じた前記コンテンツの提供、当該端末装置からの前記利用先についての評価の投稿の受け付け、および、当該評価に基づいて算出された第１の評価値の提示が可能とされたサーバであって、前記利用先の情報処理装置から前記コンテンツが当該利用先において実際に利用されたことを示す所定の情報が送信された場合に、当該所定の情報に基づいて、当該利用先についての当該コンテンツの実際の利用度合いを考慮した第２の評価値を算出し、この算出された第２の評価値を提示することを特徴としている。
【００２９】
また、本発明に係る第２の態様の端末装置は、所定の利用先において利用可能とされた所定のコンテンツを保有するサーバとの間で、前記サーバからの前記コンテンツの取得、前記サーバへの前記利用先についての評価の投稿、および、前記サーバからの前記利用先についての投稿された評価に基づいて算出された第１の評価値の提示が可能とされた端末装置であって、前記利用先の情報処理装置が、他の端末装置によって取得された前記コンテンツが当該利用先において実際に利用されたことを示す所定の情報を前記サーバに送信した場合には、前記サーバが当該所定の情報に基づいて算出した当該利用先についての当該コンテンツの実際の利用度合いを考慮した第２の評価値を、前記サーバから提示されることが可能とされていることを特徴としている。
【００３０】
さらに、本発明に係る第２の態様の評価提示方法は、所定の利用先において利用可能とされた所定のコンテンツを保有するサーバから、当該コンテンツを前記サーバから取得かつ利用可能とされた任意の１つの端末装置に対して、当該利用先についての評価を提示する評価提示方法であって、前記サーバによって、他の端末装置から投稿された前記利用先についての評価に基づいて第１の評価値を算出し、この算出された第１の評価値を前記１つの端末装置に提示する第１’のステップと、前記利用先の情報処理装置によって、他の端末装置が前記サーバから取得した前記コンテンツが当該利用先において実際に利用されたことを示す所定の情報を、所定のタイミングで前記サーバに送信する第２’のステップと、この第２’のステップにおいて送信された前記所定の情報に基づいて、前記サーバによって、当該所定の情報に対応する前記利用先についての前記コンテンツの実際の利用度合いを考慮した第２の評価値を算出し、この算出された前記第２の評価値を前記１つの端末装置に提示する第３’のステップとを含むことを特徴としている。
【００３１】
そして、このような第２の態様の本発明によれば、コンテンツの利用先についての投稿された評価に基づいた第１の評価値だけではなく、コンテンツの利用先についての実際の利用実績に基づいた第２の評価値も提示することができるので、コンテンツの利用先についての評価の信憑性を高めることができる。
【００３２】
さらにまた、第２の態様の評価提示システムにおいて、前記所定の情報の送信は、前記システム本体に含まれる前記利用先の情報処理装置が行ってもよい。
【００３３】
そして、このような構成によれば、コンテンツが利用先において利用されたことの確証性が高い情報をサーバに送信することができるので、利用先についての評価の信憑性を確実に向上させることができる。
【００３４】
また、第２の態様の評価提示システムにおいて、前記情報処理装置は、前記コンテンツの前記利用先における実際の利用度合いを示す所定の計測対象を計測して、この計測によって得られた計測値を前記所定の情報として送信してもよい。同様に、第２の態様の評価提示方法において、前記第２’のステップは、前記コンテンツの前記利用先における実際の利用度合いを示す所定の計測対象を計測して、この計測によって得られた計測値を前記所定の情報として送信するステップであってもよい。
【００３５】
そして、このような第２の態様の本発明によれば、利用先の情報処理装置において、コンテンツが利用先において利用されたことを示すだけでなく、コンテンツの利用先における利用度合いをも反映した情報をサーバに送信することができるので、サーバにおいて、利用実績をより忠実に反映した評価を提示することができる。
【００３６】
さらに、第２の態様の評価提示システムにおいて、前記計測対象は、前記コンテンツを利用した前記利用先の利用人数および／または利用時間を含んでもよい。同様に、第２の態様の評価提示方法において、前記第２’のステップは、前記計測対象として、前記コンテンツを利用した前記利用先の利用人数および／または利用時間を計測するステップであってもよい。
【００３７】
そして、このような第２の態様の本発明によれば、利用先の情報処理装置において、コンテンツの利用先における利用度合いが好適に反映された有意義な情報をサーバに送信することができるので、サーバにおいて、より信憑性が高い評価を提示することができる。
【００３８】
さらにまた、第２の態様の評価提示システムにおいて、前記端末装置は、携帯端末単体からなるものであってもよい。
【００３９】
そして、このような構成によれば、携帯端末によって取得されたコンテンツを、信憑性が高い評価がなされた利用先において利用することができる。
【００４０】
また、第２の態様の評価提示システムにおいて、前記コンテンツは、電子クーポンを含み、前記利用先は、前記電子クーポンを利用可能なサービス提供者を含んでもよい。
【００４１】
そして、このような構成によれば、電子クーポンを利用して、信憑性が高い評価がなされたサービス提供者からの満足がいく内容のサービス提供を受けることができる。
【００４２】
さらに、第１または第２の態様の評価提示システムにおいて、前記計測値は、更新可能とされていてもよい。
【００４３】
そして、このような構成によれば、利用実績の変動に機動的に対応した最新の評価を提示することができる。
【００４４】
さらにまた、第１または第２の態様の評価提示システムにおいて、前記サーバは、前記第２の評価値を、前記第１の評価値と同一画面上において閲覧可能な状態で提示してもよい。
【００４５】
そして、このような構成によれば、第２の評価値に基づいて第１の評価値の信憑性を一目で判断することもできるし、また、第１の評価値と第２の評価値がともに高ければ、相乗効果によって評価に対する信頼度をより高めることができる。
【発明の効果】
【００４６】
本発明によれば、コンテンツに関連する評価対象に対する信憑性が高い評価を提示することができ、ひいては、ユーザには、コンテンツを利用することによる十分な満足感を与えることができ、コンテンツの提供者には、ユーザの動向・嗜好を正確に把握して後の事業に活かす機会を与えることができる。
【図面の簡単な説明】
【００４７】
【図１】本発明に係る評価提示システム、サーバおよび端末装置の第１実施形態を示すブロック図
【図２】評価提示システム、サーバおよび端末装置の第１実施形態の具体例を示す構成図
【図３】本発明に係る評価提示方法の第１実施形態において、第１の評価値の提示処理を示すフローチャート
【図４】評価提示方法の第１実施形態において、第２の評価値の提示処理を示すフローチャート
【図５】評価提示方法の第１実施形態において、所定情報の送信処理を示すフローチャート
【図６】第１実施形態の第１変形例を示すフローチャート
【図７】第１実施形態の第２変形例を示す模式図
【図８】本発明に係る評価提示システム、サーバおよび端末装置の第２実施形態を示すブロック図
【図９】評価提示システム、サーバおよび端末装置の第２実施形態の具体例を示す構成図
【図１０】評価提示方法の第２実施形態において、所定情報の送信処理を示すフローチャート
【図１１】従来の評価提示システムの一例を示す模式図
【発明を実施するための形態】
【００４８】
（第１実施形態）
（評価提示システム、サーバおよび端末装置）
以下、本発明に係る評価提示システム、サーバおよび端末装置の第１実施形態について、図１および図２を参照して説明する。
【００４９】
なお、従来と基本的構成が同一もしくはこれに類する箇所については、同一の符号を用いて説明する。
【００５０】
図１に示すように、本実施形態における評価提示システム５は、サーバ７と、このサーバ７との間での外部ネットワーク（例えば、インターネット）を介した通信が可能とされた複数の端末装置８とによって構成されている。
【００５１】
ここで、図１に示すように、サーバ７は、コンテンツ保有部７１を有しており、このコンテンツ保有部７１には、端末装置８が利用可能なコンテンツ（以下、利用可能コンテンツと称する）が保有されている。このコンテンツ保有部７１は、ハードディスクドライブ等の大容量の記憶装置によって構成してもよい。
【００５２】
また、図１に示すように、サーバ７は、コンテンツ提供部７２を有している。このコンテンツ提供部７２は、端末装置８からの取得要求に応じた利用可能コンテンツをコンテンツ保有部７１から読み出して当該端末装置８に提供するようになっている。このような利用可能コンテンツの提供は、利用可能コンテンツのダウンロード用画面を端末装置８に送信した上で、当該ダウンロード用画面に対する当該端末装置８からのダウンロード要求操作に応答して行うようにしてもよい。さらに、コンテンツ提供部７２は、これの機能を実現するためのプログラムが記憶されたＲＯＭ等の記憶装置、当該プログラムを実行するＣＰＵ等の演算処理装置、この演算処理装置の処理結果の一時的な保存に用いられるＲＡＭ等の記憶装置および通信モジュール等によって具現化してもよい。
【００５３】
さらに、図１に示すように、サーバ７は、第１評価提示部７３を有している。この第１評価提示部７３は、端末装置８からの利用可能コンテンツに対する評価の投稿を受け付けるようになっている。また、第１評価提示部７３は、投稿された評価に基づいた利用可能コンテンツの第１の評価値を算出し、算出された第１の評価値を端末装置８に提示可能とされている。なお、利用可能コンテンツに対する評価の投稿の受け付けは、評価投稿用画面を端末装置８に送信することによって行うようにしてもよい。また、第１の評価値の算出は、各端末装置８から投稿された評価を集計することによって行うようにしてもよい。例えば、各端末装置８からそれぞれ投稿された評価の単位が「Like」（図１１参照）の場合には、第１の評価値は、これに評価投稿者数を乗じた値（例えば、「７５６likes」）としてもよい。また、第１の評価値の提示は、この第１の評価値の提示用画面を端末装置８に送信することによって行うようにしてもよい。このとき、第１の評価値の提示用画面は、前述した利用可能コンテンツのダウンロード用画面と同一画面であってもよい。さらに、第１評価提示部７３は、これの機能を実現するためのプログラムが記憶された記憶装置、当該プログラムを実行する演算処理装置、この演算処理装置の処理結果の一時的な保存に用いられる記憶装置および通信モジュール等によって具現化してもよい。
【００５４】
一方、図１に示すように、端末装置８は、コンテンツ取得部８１を有している。このコンテンツ取得部８１は、前述のように、サーバ７に対する取得要求によって、サーバ７から利用可能コンテンツを取得可能とされている。このコンテンツ取得部８１は、これの機能を実現するためのプログラム（アプリケーションソフト）が記憶された記憶装置、当該プログラムを実行する演算処理装置、この演算処理装置の処理結果の一時的な保存に用いられる記憶装置、通信モジュール、表示部および操作部等によって具現化してもよい。
【００５５】
また、図１に示すように、端末装置８は、評価投稿部８２を有している。この評価投稿部８２は、サーバ７に対して、利用可能コンテンツについての評価の投稿（投稿要求）を行うようになっている。このような評価の投稿は、前述したサーバ７から送信された評価投稿用画面に対する投稿操作によって行うようにしてもよい。また、評価投稿部８２は、これの機能を実現するためのプログラムが記憶された記憶装置、当該プログラムを実行する演算処理装置、この演算処理装置の処理結果の一時的な保存に用いられる記憶装置、通信モジュール、表示部および操作部等によって具現化してもよい。
【００５６】
さらに、図１に示すように、端末装置８は、コンテンツ利用部８３を有している。このコンテンツ利用部８３は、コンテンツ取得部８１によって取得された利用可能コンテンツを利用するようになっている。このコンテンツ利用部８３は、これの機能を実現するためのプログラムが記憶された記憶装置、当該プログラムを実行する演算処理装置、この演算処理装置の処理結果の一時的な保存に用いられる記憶装置等によって具現化してもよい。
【００５７】
さらにまた、図１に示すように、端末装置８は、所定情報送信部８４を有している。この所定情報送信部８４は、コンテンツ利用部８３による利用可能コンテンツの利用を検出すると、利用可能コンテンツが端末装置８において実際に利用されたことを示す所定情報を、所定のタイミングでサーバ７に送信するようになっている。この所定情報の送信は、例えば、利用可能コンテンツに対応付けてサーバ７から送信された所定情報の送信先のアドレスまたはＵＲＬを自動指定して、このアドレス／ＵＲＬに所定情報を自動送信することによって行うようにしてもよい。また、所定のタイミングは、所定の時間周期であってもよく、または、サーバ７へのアクセス時であってもよく、もしくは、コンテンツ利用部８３による利用の検出直後であってもよい。さらに、所定情報送信部８４は、これの機能を実現するためのプログラムが記憶された記憶装置、当該プログラムを実行する演算処理装置、この演算処理装置の処理結果の一時的な保存に用いられる記憶装置および通信モジュール等によって具現化してもよい。
【００５８】
なお、このような端末装置８の各要素８１〜８４は、その具体的な構成（記憶装置、演算処理装置、通信モジュール、表示部、操作部等）を共有してもよい。
【００５９】
また、図１に示すように、サーバ７は、第２評価提示部７４を有している。この第２評価提示部７４は、所定情報送信部８４から所定情報が送信された場合には、この所定情報に基づいて、当該所定情報に対応する利用可能コンテンツについての実際の利用度合いを考慮した第２の評価値を算出するようになっている。なお、第２の評価値の算出は、各端末装置８から送信された所定情報を集計することによって行うようにしてもよい。例えば、第２の評価値は、所定情報の送信数を利用可能コンテンツのユーザ数と見立てた値（例えば、「１２５Users」）であってもよい。そして、第２評価提示部７４は、このようにして算出された第２の評価値を、端末装置８に提示するようになっている。なお、第２の評価値の提示は、この第２の評価値の提示用画面を端末装置８に送信することによって行うようにしてもよい。このとき、第２の評価値の提示用画面は、前述した第１の評価値の提示用画面と同一画面であってもよい。また、第２評価提示部７４は、これの機能を実現するためのプログラムが記憶された記憶装置、当該プログラムを実行する演算処理装置、この演算処理装置の処理結果の一時的な保存に用いられる記憶装置および通信モジュール等によって具現化してもよい。
【００６０】
なお、サーバ７の各要素７１〜７４は、その具体的な構成（記憶装置、演算処理装置、通信モジュール等）を共有してもよい。
【００６１】
また、上記構成以外にも、端末装置８は、自らが作成した利用可能コンテンツをサーバ７に投稿する機能を備えていてもよい。
【００６２】
次に、本実施形態における評価提示システム５の構成および動作の具体例を、図２を用いて説明する。
【００６３】
図２においては、端末装置８が、車載機８Ａと、この車載機８Ａに通信手段３を介して接続された携帯端末としてのスマートフォン８Ｂとによって構成されている。また、図２において、利用可能コンテンツは、図１１と同様のサウンドセッティング情報とされている。なお、サウンドセッティング情報は、イコライザの設定情報等を含んでもよい。さらに、図２において、車載機８Ａは、ＣＰＵ８Ａ−１、メモリ８Ａ−２、ＤＳＰ８Ａ−３およびオーディオ増幅用のＡＭＰ８Ａ−４によって構成されている。
【００６４】
そして、このように構成された図２の評価提示システム５においては、端末装置８からサーバ７に対して所望のサウンドセッティング情報のダウンロード要求が送信されると、これに応答してサーバ７から送信されたサウンドセッティング情報が、スマートフォン８Ｂを経て車載機８ＡのＣＰＵ８Ａ−１に取得される（ＳＴＥＰ２１）。
【００６５】
次いで、ＣＰＵ８Ａ−１は、コンテンツ利用部８３として機能し、取得されたサウンドセッティング情報をＤＳＰ８Ａ−３に送信して、このサウンドセッティング情報にしたがったサウンドセッティングをＤＳＰ８Ａ−３に行わせる（ＳＴＥＰ２２）。
【００６６】
次いで、ＣＰＵ８Ａ−１は、サウンドセッティング情報が利用されたことをスマートフォン８Ｂに通知する（ＳＴＥＰ２３）。
【００６７】
次いで、スマートフォン８Ｂは、所定情報送信部８４として機能し、ＳＴＥＰ２３における通知を受けて、直ちに所定情報をサーバ７に送信する（ＳＴＥＰ２４）。この所定情報は、第２の評価値のカウントアップ要求信号であってもよい。
【００６８】
次いで、サーバ７は、ＳＴＥＰ２４において送信された所定情報に基づいて、第２の評価値を算出する（ＳＴＥＰ２５）。
【００６９】
次いで、サーバ７は、ＳＴＥＰ２５において算出された第２の評価値を、提示要求があったスマートフォン２に対して提示する（ＳＴＥＰ２６）。ＳＴＥＰ２６に示すように、スマートフォン２には、サウンドセッティング情報のリスト画面（閲覧画面）として、サウンドセッティング情報に対応する第１の評価値（likes）と第２の評価値（Users）とを含む画面が表示されている。このような画面を見たユーザは、名前「○○○Tune」が付けられたサウンドセッティング情報については、第１の評価値（７５６likes）に対する第２の評価値（１２５Users）の割合が比較的高いので、このサウンドセッティング情報は本当に評判が良いものだと容易に判断することができる。一方、名前「△△△Tune」が付けられたサウンドセッティング情報については、第１の評価値（５０４３like）に対する第２の評価値（None）の割合が低いので、このサウンドセッティング情報についての投稿された評価は根拠に薄いものだと容易に判断することができる。
【００７０】
以上述べたように、本実施形態の構成によれば、コンテンツについての投稿された評価に基づいた第１の評価値だけではなく、コンテンツについての実際の利用実績に基づいた第２の評価値も提示することができるので、コンテンツについての評価の信憑性を高めることができる。
【００７１】
なお、図２の構成において、ＣＰＵ８Ａ−１は、ＳＴＥＰ２２の後に、ＤＳＰ８Ａ−３によるサウンドセッティングがユーザ操作によって変更された場合には、その旨をスマートフォン８Ｂに通知するようにしてもよい。そして、この場合に、スマートフォン８Ｂは、サウンドセッティング情報が利用されなくなったことを示す情報をサーバ７に送信して、サーバ７は、これを受けて第２の評価値を減少させるようにしてもよい。
【００７２】
なお、本実施形態は、図２に示した構成に限定される必要はなく、例えば、端末装置８を携帯端末（スマートフォン８Ｂ）単体によって構成してもよく、また、利用可能コンテンツとして、オーディオコンテンツ（例えば、楽曲等）やビデオコンテンツ（例えば、動画等）を採用してもよい。これらオーディオ／ビデオコンテンツを採用する場合には、コンテンツ利用部８３による利用可能コンテンツの利用の検出は、コンテンツ利用部８３によるオーディオ／ビデオコンテンツの再生状態を検出することによって行うようにしてもよい。
【００７３】
（評価提示方法）
次に、前述した評価提示システム５を適用した本発明に係る評価提示方法の第１実施形態について、図３乃至図６を参照して説明する。
【００７４】
＜第１の評価値の提示処理＞
本実施形態における評価提示方法は、図３に示すような第１の評価値の提示処理工程を含んでいる。
【００７５】
本工程においては、まず、図３のステップ３１（ＳＴ３１）において、第１評価提示部７３により、端末装置８からの利用可能コンテンツに対する評価の投稿があったか否かを判定する。そして、ステップ３１（ＳＴ３１）において肯定的な判定結果が得られた場合には、ステップ３２（ＳＴ３２）に進み、否定的な判定結果が得られた場合には、ステップ３１（ＳＴ３１）を繰り返す。
【００７６】
次いで、ステップ３２（ＳＴ３２）において、第１評価提示部７３により、投稿された評価に基づいた第１の評価値の算出を行う。このとき、ステップ３２（ＳＴ３２）の実行が複数回目である場合には、このステップ３２（ＳＴ３２）の処理は、第１の評価値の再算出（更新）となる。
【００７７】
次いで、ステップ３３（ＳＴ３３）において、第１評価提示部７３により、端末装置８からの第１の評価値の提示要求があったか否かを判定する。この要求は、当該第１の評価値が付された利用可能コンテンツの閲覧要求として行われるものであってもよい。そして、ステップ３３（ＳＴ３３）において肯定的な判定結果が得られた場合には、ステップ３４（ＳＴ３４）に進み、否定的な判定結果が得られた場合には、ステップ３１（ＳＴ３１）に戻る。
【００７８】
次いで、ステップ３４（ＳＴ３４）において、第１評価提示部７３により、第１の評価値を提示して処理を終了する。
【００７９】
＜第２の評価値の提示処理＞
また、本実施形態における評価提示方法は、図４に示すような第２の評価値の提示処理工程を含んでいる。
【００８０】
本工程においては、まず、図４のステップ４１（ＳＴ４１）において、第２評価提示部７４により、端末装置８からの所定情報の送信があったか否かを判定する。そして、ステップ４１（ＳＴ４１）において肯定的な判定結果が得られた場合には、ステップ４２（ＳＴ４２）に進み、否定的な判定結果が得られた場合には、ステップ４１（ＳＴ４１）を繰り返す。
【００８１】
次いで、ステップ４２（ＳＴ４２）において、第２評価提示部７４により、ステップ４１（ＳＴ４１）において送信された所定情報に基づいた第２の評価値の算出を行う。このとき、ステップ４２（ＳＴ４２）の実行が複数回目である場合には、このステップ４２（ＳＴ４２）の処理は、第２の評価値の再算出（更新）となる。
【００８２】
次いで、ステップ４３（ＳＴ４３）において、第２評価提示部７４により、端末装置８からの第２の評価値の提示要求があったか否かを判定する。この要求は、当該第２の評価値が付された利用可能コンテンツの閲覧要求として行われるものであってもよい。そして、ステップ４３（ＳＴ４３）において肯定的な判定結果が得られた場合には、ステップ４４（ＳＴ４４）に進み、否定的な判定結果が得られた場合には、ステップ４１（ＳＴ４１）に戻る。
【００８３】
次いで、ステップ４４（ＳＴ４４）において、第２評価提示部７４により、第２の評価値を提示して処理を終了する。
【００８４】
＜所定情報の送信処理＞
さらに、本実施形態における評価提示方法は、図４のステップ４１（ＳＴ４１）に関連する処理工程として、図５に示すような所定情報の送信処理工程を含んでいる。
【００８５】
本工程においては、まず、図５のステップ５１（ＳＴ５１）において、所定情報送信部８４により、コンテンツ利用部８３による利用可能コンテンツの利用が検出されたか否かを判定する。そして、ステップ５１（ＳＴ５１）において肯定的な判定結果が得られた場合には、ステップ５２（ＳＴ５２）に進み、否定的な判定結果が得られた場合には、ステップ５１（ＳＴ５１）を繰り返す。
【００８６】
次いで、ステップ５２（ＳＴ５２）において、所定情報送信部８４により、所定情報を送信待機状態にする。
【００８７】
次いで、ステップ５３（ＳＴ５３）において、所定情報送信部８４により、所定のタイミングになったか否かを判定する。そして、ステップ５３（ＳＴ５３）において肯定的な判定結果が得られた場合には、ステップ５４（ＳＴ５４）に進み、否定的な判定結果が得られた場合には、ステップ５３（ＳＴ５３）に戻る。
【００８８】
次いで、ステップ５４（ＳＴ５４）において、所定情報送信部８４により、所定情報をサーバ７に送信して処理を終了する。
【００８９】
なお、本実施形態には、前述したもの以外にも、以下に示すような種々の変形例を適用してもよい。
【００９０】
（第１変形例）
すなわち、所定情報としては、利用可能コンテンツが端末装置８において利用されたことを示すだけではなく、利用度合いをも反映した情報を送信してもよい。
【００９１】
具体的には、所定情報送信部８４は、端末装置８における利用可能コンテンツの実際の利用度合いを示す所定の計測対象として、利用可能コンテンツの利用時間および利用回数を計測し、所定情報送信部８４は、当該計測によって得られた計測値を、所定情報としてサーバ７に送信してもよい。
【００９２】
このような本変形例の具体的な処理工程は、例えば、図６に示すものとなる。
【００９３】
すなわち、図６においては、まず、ステップ６１（ＳＴ６１）において、所定情報送信部８４により、コンテンツ利用部８３による利用可能コンテンツの利用の開始が検出されたか否かを判定する。そして、ステップ６１（ＳＴ６１）において肯定的な判定結果が得られた場合には、ステップ６２（ＳＴ６２）に進み、否定的な判定結果が得られた場合には、ステップ６１（ＳＴ６１）を繰り返す。
【００９４】
次いで、ステップ６２（ＳＴ６２）において、所定情報送信部８４により、コンテンツ利用部８３による利用可能コンテンツの利用時間の計測を開始する。
【００９５】
次いで、ステップ６３（ＳＴ６３）において、所定情報送信部８４により、コンテンツ利用部８３による利用可能コンテンツの利用の終了が検出されたか否かを判定する。そして、ステップ６３（ＳＴ６３）において肯定的な判定結果が得られた場合には、ステップ６４（ＳＴ６４）に進み、否定的な判定結果が得られた場合には、ステップ６３（ＳＴ６３）を繰り返す。
【００９６】
次いで、ステップ６４（ＳＴ６４）において、所定情報送信部８４により、コンテンツ利用部８３による利用可能コンテンツの利用時間の計測を終了する。
【００９７】
次いで、ステップ６５（ＳＴ６５）において、所定情報送信部８４により、利用可能コンテンツの利用時間を記録するとともに、利用回数のカウント値をインクリメントする。このとき、ステップ６５（ＳＴ６５）の実行が複数回目である場合には、このステップ６５（ＳＴ６５）の処理は、利用時間の更新となる。
【００９８】
次いで、ステップ６６（ＳＴ６６）において、所定情報送信部８４により、所定のタイミングになったか否かを判定する。そして、ステップ６６（ＳＴ６６）において肯定的な判定結果が得られた場合には、ステップ６７（ＳＴ６７）に進み、否定的な判定結果が得られた場合には、ステップ６８（ＳＴ６８）に進む。
【００９９】
ここで、ステップ６７（ＳＴ６７）に進んだ場合には、所定情報送信部８４により、所定情報として、ステップ６５（ＳＴ６５）において生成された利用時間情報および利用回数情報（カウント値）をサーバ７に送信して処理を終了する。
【０１００】
一方、ステップ６８（ＳＴ６８）に進んだ場合には、所定情報送信部８４により、コンテンツ利用部８３による利用可能コンテンツの利用の再開が検出されたか否かを判定する。そして、ステップ６８（ＳＴ６８）において肯定的な判定結果が得られた場合には、ステップ６２（ＳＴ６２）に進み、否定的な判定結果が得られた場合には、ステップ６７（ＳＴ６７）に進む。
【０１０１】
（第２変形例）
また、図２に示した構成においては、第２の評価値として、「Users」を採用していたが、図７に示すように、評価が高いほど個数が増えるようなマーク（例えば、星印）を採用してもよい。
【０１０２】
（第２実施形態）
（評価提示システム、サーバおよび端末装置）
次に、本発明に係る評価提示システム、サーバおよび端末装置の第２実施形態について、第１実施形態との差異を中心に、図８および図９を参照して説明する。
【０１０３】
図８に示すように、本実施形態における評価提示システム５は、第１実施形態と同様のサーバ７および端末装置８に加えて、利用可能コンテンツの利用先の情報処理装置９を備えている。
【０１０４】
すなわち、本実施形態においては、利用可能コンテンツとして、利用先において利用可能なコンテンツを扱うようになっている。
【０１０５】
また、本実施形態において、端末装置８（評価投稿部８２）からサーバ７に投稿される評価は、利用可能コンテンツ自体に対するものではなく、利用可能コンテンツの利用先に対するものとなっている。したがって、本実施形態において第１評価提示部７３が提示する第１の評価値は、利用先についての評価を示したものとなる。
【０１０６】
図８に示すように、情報処理装置９は、コンテンツ利用検出部９１を有している。このコンテンツ利用検出部９１は、端末装置８によって取得された利用可能コンテンツが利用先において利用されたことを検出するようになっている。コンテンツ利用検出部９１は、例えば、端末装置８に取得された利用可能コンテンツを、各種の物理的手段（例えば、バーコードスキャンや通信等）によって取得することによって、利用可能コンテンツの利用を検出してもよい。あるいは、コンテンツ利用検出部９１は、利用可能コンテンツの利用を情報処理装置９に対する操作入力によって検出してもよい。
【０１０７】
また、図８に示すように、情報処理装置９は、所定情報送信部９２を有している。この所定情報送信部９２は、コンテンツ利用検出部９１によって利用可能コンテンツの利用が検出された場合に、当該利用可能コンテンツが利用先において実際に利用されたことを示す所定情報を、所定のタイミングでサーバ７に送信するようになっている。
【０１０８】
さらに、本実施形態において、サーバ７の第２評価提示部７４は、所定情報送信部９２から送信された所定情報に基づいて、当該所定情報に対応する利用先についての利用可能コンテンツの実際の利用度合いを考慮した第２の評価値を算出するようになっている。そして、第２評価提示部７４は、このようにして算出された第２の評価値を、端末装置８に提示するようになっている。
【０１０９】
次に、本実施形態における評価提示システム５の構成および動作の具体例を、図９を用いて説明する。
【０１１０】
図９に示す評価提示システム５は、サーバ７と、利用可能コンテンツとしての電子クーポンをダウンロードした端末装置としてのスマートフォン８と、電子クーポンを利用可能とされたサービス提供者としてのレストランの情報処理装置９と、他のスマートフォン２とによって構成されている。この場合に、スマートフォン８は、レストランの利用客の所有物である。
【０１１１】
そして、このように構成された図９の評価提示システム５においては、まず、情報処理装置９（コンテンツ利用検出部９１）によって、電子クーポンの利用を検出する（ＳＴＥＰ９１）。この検出は、例えば、電子クーポンが情報処理装置９によって光学的にスキャンされたことや、情報処理装置９に対して電子クーポンが利用された旨の操作入力がなされたことに基づいて行うようにしてもよい。
【０１１２】
次に、情報処理装置９（所定情報送信部９２）は、所定情報をサーバ７に送信する（ＳＴＥＰ９２）。
【０１１３】
次いで、サーバ７（第２評価提示部７４）は、ＳＴＥＰ９２において送信された所定情報に基づいて、第２の評価値を算出する（ＳＴＥＰ９３）。
【０１１４】
次いで、サーバ７（第２評価提示部７４）は、ＳＴＥＰ９３において算出された第２の評価値を、提示要求があったスマートフォン２に対して提示する（ＳＴＥＰ９４）。ＳＴＥＰ９４に示すように、スマートフォン２には、レストランのリスト画面として、レストランに対応する第１の評価値（Like）と第２の評価値（クーポン利用者数）とを含む画面が表示されている。このような画面を見たユーザは、「Restaurant A」については、第１の評価値（４０００likes）に対する第２の評価値（３０００）の割合がある程度高いので、このレストランは本当に評判が良いものだと容易に判断することができる。一方、「Restaurant B」については、第１の評価値（５０００likes）に対する第２の評価値（None）の割合が低いので、このレストランについての投稿された評価は根拠に薄いものだと容易に判断することができる。
【０１１５】
なお、「Like」やクーポン利用者数の代わりに、おすすめ度や利用満足度を示すマークを提示してもよい。
【０１１６】
以上述べたように、本実施形態の構成によれば、コンテンツの利用先についての投稿された評価に基づいた第１の評価値だけではなく、利用先についての実際の利用実績に基づいた第２の評価値も提示することができるので、利用先についての評価の信憑性を高めることができる。
【０１１７】
（評価提示方法）
本実施形態における評価提示方法は、第１実施形態の評価提示方法に対して、評価対象や所定情報の送信主体が異なるだけで、基本的な処理は、第１実施形態に示したものと同様である。
【０１１８】
ただし、本実施形態においては、図１０に示すような本実施形態に特有の所定情報の送信処理を採用することができる。
【０１１９】
すなわち、図１０においては、まず、ステップ１０１（ＳＴ１０１）において、コンテンツ利用検出部９１により、利用可能コンテンツの利用が検出されたか否かを判定する。そして、ステップ１０１（ＳＴ１０１）において肯定的な判定結果が得られた場合には、ステップ１０２（ＳＴ１０２）に進み、否定的な判定結果が得られた場合には、ステップ１０１（ＳＴ１０１）を繰り返す。
【０１２０】
次いで、ステップ１０２（ＳＴ１０２）において、所定情報送信部９２により、利用先の利用人数および／または利用回数のカウント値をインクリメントする。
【０１２１】
次いで、ステップ１０３（ＳＴ１０３）において、所定情報送信部９２により、所定のタイミングになったか否かを判定する。そして、ステップ１０３（ＳＴ１０３）において肯定的な判定結果が得られた場合には、ステップ１０４（ＳＴ１０４）に進み、否定的な判定結果が得られた場合には、ステップ１０１（ＳＴ１０１）に戻る。
【０１２２】
ここで、ステップ１０４（ＳＴ１０４）に進んだ場合には、所定情報送信部９２により、所定情報として、ステップ１０２（ＳＴ１０２）において生成された利用人数／利用回数情報をサーバ７に送信して処理を終了する。
【０１２３】
一方、ステップ１０５（ＳＴ１０５）に進んだ場合には、コンテンツ利用検出部９１により、利用可能コンテンツの利用が再検出されたか否かを判定する。そして、ステップ１０５（ＳＴ１０５）において肯定的な判定結果が得られた場合には、ステップ１０２（ＳＴ１０２）に進み、否定的な判定結果が得られた場合には、ステップ１０３（ＳＴ１０３）に進む。
【０１２４】
なお、本発明は、前述した実施の形態に限定されるものではなく、本発明の特徴を損なわない限度において種々変更してもよい。
【０１２５】
例えば、端末装置８として、スマートフォン以外の携帯端末を採用してもよい。
【０１２６】
また、端末装置８をスマートフォン８Ｂと車載機８Ａとによって構成する場合において、利用可能コンテンツについての評価の投稿、コンテンツの投稿、利用可能コンテンツのダウンロード要求等は、スマートフォン８Ｂの直接操作によって行ってもよく、または、所謂ターミナルモードを利用した車載機８Ａの操作によって行ってもよい。
【符号の説明】
【０１２７】
５  評価提示システム
７  サーバ
８  端末装置
【図１】
2014119861.tif 000003
【図３】
2014119861.tif 000004
【図４】
2014119861.tif 000005
【図５】
2014119861.tif 000006
【図６】
2014119861.tif 000007
【図８】
2014119861.tif 000008
【図１０】
2014119861.tif 000009
【図２】
2014119861.tif 000010
【図７】
2014119861.tif 000011
【図９】
2014119861.tif 000012
【図１１】
2014119861.tif 000013